(57)【要約】【課題】本発明は、光センサの数を減らすことで、低コスト化や制御の向上を図ることができる光走査装置を提供することを目的とする。【解決手段】光走査装置１は、複数の光源（レーザ光源２）と、表裏両面に反射面が形成され、表裏両面の反射面を揺動することで光ビームＢ１，Ｂ２を偏向する振動ミラー３と、振動ミラー３が一方に揺動したときに振動ミラー３の表面３１で反射された表面側光ビームＢ１と、振動ミラー３が他方に揺動したときに振動ミラー３の裏面３２で反射された裏面側光ビームＢ２とを所定位置に誘導する誘導手段（センサ用光学系５）と、所定位置に配置され、表面側光ビームＢ１と裏面側光ビームＢ２とを検知する共通の光センサ６と、を備えている。【選択図】図１
2010026374.tif 000002
【特許請求の範囲】
【請求項１】
複数の光源と、
表裏両面に反射面が形成され、前記複数の光源から出射された光ビームを前記表裏両面の反射面によって互いに反対方向に反射させるとともに、前記表裏両面の反射面を揺動することで前記光ビームを偏向する振動ミラーと、を備えた光走査装置において、
前記振動ミラーが一方に揺動したときに前記振動ミラーの表面で反射された表面側光ビームと、前記振動ミラーが他方に揺動したときに前記振動ミラーの裏面で反射された裏面側光ビームとを所定位置に誘導する誘導手段と、
前記所定位置に配置され、前記両方の光ビームを検知する共通の光センサと、をさらに備えたことを特徴とする光走査装置。
【請求項２】
前記光源が４つ設けられ、
前記４つの光源のうち２つの光源からそれぞれ前記振動ミラーの表面に向けて光ビームが出射されるとともに、残りの２つの光源からそれぞれ前記振動ミラーの裏面に向けて光ビームが出射され、
前記振動ミラーの表面および裏面で偏向される各２本の光ビームのうち各１本の光ビームが前記誘導手段で前記光センサに誘導されることを特徴とする請求項１に記載の光走査装置。
【請求項３】
前記誘導手段は、
前記表面側光ビームを前記所定位置に向けて反射する表面側反射ミラーと、
前記裏面側光ビームを前記所定位置に向けて反射する裏面側反射ミラーと、を有することを特徴とする請求項２に記載の光走査装置。
【請求項４】
前記表面側光ビームが前記光センサで検知されたときから所定のタイミングで、前記表面側光ビームによる往路方向への書き出しを開始させるとともに、前記裏面側光ビームによる復路方向への書き出しを開始させ、
前記裏面側光ビームが前記光センサで検知されたときから所定のタイミングで、前記表面側光ビームによる復路方向への書き出しを開始させるとともに、前記裏面側光ビームによる往路方向への書き出しを開始させる制御装置を備えたことを特徴とする請求項３に記載の光走査装置。
【請求項５】
前記表面側光ビームが前記光センサに入射されてから再度入射されるまでの表面検知時間と、前記裏面側光ビームが前記光センサに入射されてから再度入射されるまでの裏面検知時間とに差を設けたことを特徴とする請求項３または請求項４に記載の光走査装置。
【請求項６】
前記光センサの光ビームの入射側に、
前記表面側光ビームを通すためのスリットが形成された表面側基板と、
前記裏面側光ビームを通すためのスリットが形成された裏面側基板と、を設け、
前記表面側基板と前記裏面側基板の位置を前記光ビームの振り幅方向において調整することで、前記表面検知時間と前記裏面検知時間とに差を設けたことを特徴とする請求項５に記載の光走査装置。
【請求項７】
前記表面側反射ミラーおよび前記裏面側反射ミラーの位置を、前記光ビームの振り幅方向において調整することで、前記表面検知時間と前記裏面検知時間とに差を設けたことを特徴とする請求項５に記載の光走査装置。
【請求項８】
前記表面側反射ミラーおよび前記裏面側反射ミラーは、
前記振動ミラーの静止状態の面と平行な前記振動ミラーの揺動中心を含む面に対し、面対称の位置に配置されていることを特徴とする請求項３に記載の光走査装置。
【発明の詳細な説明】
【技術分野】
【０００１】
本発明は、光ビームを振動ミラーの両面で反射して偏向する光走査装置に関する。
【背景技術】
【０００２】
従来、複数の感光ドラム上に光ビームを走査する光走査装置として、複数の光源と、各光源から出射される光ビームを両面で反射する振動ミラーと、振動ミラーの両面で反射された各光ビームを各感光ドラムに誘導するレンズおよび反射ミラーとを備えたものが知られている（特許文献１参照）。さらに、この技術では、各光ビームによる書き出し（画像データに応じて光ビームを明滅させて感光ドラム上に静電潜像を形成させること）のタイミングを決めるために、各感光ドラムに対応して複数の光センサが設けられている。これにより、振動ミラーの両面で反射した各光ビームを各光センサで検知した後、光センサの検知から所定のタイミングで各光ビームによる書き出しが開始され、感光ドラム上に良好に静電潜像が形成されるようになっている。
【０００３】
【特許文献１】特開２００６−２９２８９１号公報
【発明の開示】
【発明が解決しようとする課題】
【０００４】
しかしながら、従来技術では、感光ドラムの数と同じ数だけ光センサを設けるので、コストが高くなるといった問題があった。さらに、このように光センサを複数設けた構造では、各光センサの検知精度が製造誤差等によりそれぞれ異なる場合には、制御が煩雑になるといった問題もあった。
【０００５】
そこで、本発明は、光センサの数を減らすことで、低コスト化や制御の向上を図ることができる光走査装置を提供することを目的とする。
【課題を解決するための手段】
【０００６】
前記課題を解決するため、本発明に係る光走査装置は、複数の光源と、表裏両面に反射面が形成され、前記複数の光源から出射された光ビームを前記表裏両面の反射面によって互いに反対方向に反射させるとともに、前記表裏両面の反射面を揺動することで前記光ビームを偏向する振動ミラーと、を備えた光走査装置において、前記振動ミラーが一方に揺動したときに前記振動ミラーの表面で反射された表面側光ビームと、前記振動ミラーが他方に揺動したときに前記振動ミラーの裏面で反射された裏面側光ビームとを所定位置に誘導する誘導手段と、前記所定位置に配置され、前記両方の光ビームを検知する共通の光センサと、をさらに備えたことを特徴とする。
【０００７】
本発明によれば、振動ミラーが一方に揺動すると、表面側光ビームが誘導手段を介して光センサで検知される。その後、振動ミラーが他方に揺動、つまり揺動ミラーが一方に揺動したときの向きとは略逆位相の向きになると、裏面側光ビームが誘導手段を介して光センサで検知される。したがって、表面側光ビームと裏面側光ビームを共通の光センサで検知できるので、光センサの数を減らすことができ、低コスト化や制御の向上を図ることができる。
【発明の効果】
【０００８】
本発明によれば、表面側光ビームと裏面側光ビームを共通の光センサで検知できるので、光センサの数を減らすことができ、低コスト化や制御の向上を図ることができる。
【発明を実施するための最良の形態】
【０００９】
次に、本発明の一実施形態について、適宜図面を参照しながら詳細に説明する。参照する図面において、図１は本発明の一実施形態に係る光走査装置を示す平面図であり、図２は図１の側面図である。また、図３は光センサ周りの構造を示す斜視図であり、図４は図３の平面図である。さらに、図５は制御装置の動作を示すフローチャートである。
【００１０】
なお、以下の説明においては、特に断りがないかぎり図１における右側を「前（手前）」、左側を「後（奥）」、上側を「右」、下側を「左」と称する。また、図１の紙面に対して手前側を「上」、奥側を「下」と称する。すなわち、各方向は、光走査装置１の手前側に立った者から見た方向を基準として規定してある。
【００１１】
図１に示すように、光走査装置１は、レーザ光源２、振動ミラー３、露光用光学系４、誘導手段の一例としてのセンサ用光学系５、光センサ６および制御装置７を備えて構成されている。
【００１２】
レーザ光源２は、光走査装置１で走査する４つ（複数）の感光ドラム８に対応して４つ設けられている。具体的には、最も後側に配置される第１感光ドラム８Ａに対応して第１レーザ光源２Ａが光走査装置１の左側に配置され、第１感光ドラム８Ａの前方に配置される第２感光ドラム８Ｂに対応して第２レーザ光源２Ｂが光走査装置１の左側に配置されている。また、第２感光ドラム８Ｂの前方に配置される第３感光ドラム８Ｃに対応して第３レーザ光源２Ｃが光走査装置１の右側に配置され、第３感光ドラム８Ｃの前方に配置される第４感光ドラム８Ｄに対応して第４レーザ光源２Ｄが光走査装置１の右側に配置されている。
【００１３】
そして、第１レーザ光源２Ａから出射された光ビーム（実線）は、ハーフミラー２１を透過した後、図示せぬレンズ等を通って振動ミラー３の表面３１に向かって斜め下方向に進む。また、第２レーザ光源２Ｂから出射された光ビーム（１点鎖線）は、ハーフミラー２１で反射された後、前記第１レーザ光源２Ａから出射される光ビームの下側において図示せぬレンズ等を通って振動ミラー３の表面３１に向かって斜め上方向に進む。
【００１４】
ここで、各光ビーム（実線、１点鎖線）は、実際には上下にずれているが、図１においては便宜上平面的にずらして示している。また、第３レーザ光源２Ｃおよび第４レーザ光源２Ｄから出射される各光ビームも、前述と同様に、互いに上下方向にずれて振動ミラー３の裏面３２に対して斜めに入射する。
【００１５】
振動ミラー３は、表面３１と裏面３２の両面に反射面が形成される両面ミラーであり、複数のレーザ光源２から出射された光ビームを表面３１と裏面３２の各反射面によって互いに反対方向に反射させている。そして、この振動ミラー３は、電磁駆動方式により所定範囲で揺動（回転振動）するようになっており、これにより、光ビームを左右に振って、各感光ドラム８上にて光ビームを軸方向に往復動（走査）させる。なお、以下の説明では、振動ミラー３の表面３１で反射された光ビームを「表面側光ビームＢ１」とも呼び、裏面３２で反射された光ビームを「裏面側光ビームＢ２」とも呼ぶ。
【００１６】
露光用光学系４は、複数のｆθレンズ４１、反射ミラー４２および補正レンズ４３を備えて構成されている。
【００１７】
ｆθレンズ４１は、振動ミラー３の揺動によって正弦波に従った速度で運動する光ビームが感光ドラム８の表面上において感光ドラム８の軸方向に沿って等速に移動するように補正するレンズである。このｆθレンズ４１は、振動ミラー３の前後に１つずつ配設されている。
【００１８】
反射ミラー４２は、光ビームを反射するミラーであり、図２に示すように、ｆθレンズ４１から出てくる光ビームが補正レンズ４３に向かうように所定の位置に適宜配置されている。
【００１９】
補正レンズ４３は、振動ミラー３の面倒れ補正を行うためのレンズであり、各感光ドラム８に対応して４つ設けられている。
【００２０】
そして、振動ミラー３で偏向された各光ビームは、図２に示す経路を通って各感光ドラム８に出射される。
【００２１】
図１に示すように、センサ用光学系５は、表面側反射ミラー５１、裏面側反射ミラー５２および補正レンズ５３を備えて構成されている。
【００２２】
表面側反射ミラー５１は、感光ドラム８上の画像形成範囲αに対応した表面側光ビームＢ１の揺動範囲βよりも左側であって、ｆθレンズ４１の下流側（光ビームの進行方向における下流側）に配置されている。ここで、「画像形成範囲α」とは、図示せぬ用紙に形成する画像の最大幅（用紙搬送方向に直交する幅）であって、感光ドラム８上において光ビームを明滅させながら走査させる範囲をいう。
【００２３】
さらに、表面側反射ミラー５１は、図２に示すように、振動ミラー３の表面３１で反射される２本の光ビームのうち斜め下方に進む光ビーム（第１レーザ光源２Ａから出射される光ビーム）の光路上に配置されている。これにより、図１に示すように、表面側反射ミラー５１は、振動ミラー３が一方（図１の位置；表面３１が左斜め後方を向く向き）に揺動したときに振動ミラー３の表面３１で左方（所定方向）に振られた表面側光ビームＢ１を所定位置に向けて反射（誘導）する。
【００２４】
裏面側反射ミラー５２は、表面側反射ミラー５１と同様の位置、すなわち振動ミラー３の揺動中心ＣＰを基準にして表面側反射ミラー５１とは前後対称な位置に配置されている。言い換えると、振動ミラー３の静止状態の面と平行な振動ミラー３の揺動中心ＣＰを含む面（前後方向に直交する面）に対して、表面側反射ミラー５１と裏面側反射ミラー５２とが平面視において面対称の位置に配置されている。さらに、裏面側反射ミラー５２は、図２に示すように、振動ミラー３の裏面３２で反射される２本の光ビームのうち斜め上方に進む光ビーム（第４レーザ光源２Ｄから出射される光ビーム）の光路上に配置されている。
【００２５】
これにより、裏面側反射ミラー５２は、図１に示すように、振動ミラー３が他方（図１とは略逆位相の位置；裏面３２が左斜め前方を向く向き）に揺動したときに振動ミラー３の裏面３２で左方（所定方向）に振られた裏面側光ビームＢ２を所定位置に向けて反射（誘導）する。
【００２６】
補正レンズ５３は、露光用光学系４の補正レンズ４３と同様の機能を有するレンズであり、表面側反射ミラー５１および裏面側反射ミラー５２の下流側にそれぞれ１つずつ配置されている。
【００２７】
光センサ６は、前記所定位置に配置されており、表面側光ビームＢ１と裏面側光ビームＢ２の双方を検知している。この光センサ６は、光の検知に応じた信号を制御装置７に出力する。そして、光センサ６の光ビームの入射側には、図３に示すように、表面側基板６１および裏面側基板６２が設けられている。
【００２８】
表面側基板６１および裏面側基板６２には、それぞれ各光ビームＢ１，Ｂ２を通すためのスリット６１Ａ，６２Ａが形成されている。具体的に、各スリット６１Ａ，６２Ａは、その横幅（光ビームの揺動方向における幅）が縦幅よりも狭く、かつ、光ビームＢ１，Ｂ２の径よりも僅かに大きく形成されている。
【００２９】
そして、これらの表面側基板６１および裏面側基板６２は、図４に示すように、各光ビームＢ１，Ｂ２の振り幅方向においてそれぞれ異なる位置になるように配置（調整）されている。すなわち、表面側基板６１のスリット６１Ａは、最も左（図１参照）に振られた表面側光ビームＢ１（図４のＢ１１）から角度Ｘだけずれた位置に配置され、裏面側基板６２のスリット６２Ａは、最も左（図１参照）に振られた裏面側光ビームＢ２（図４のＢ２１）から角度Ｘよりも大きな角度Ｙだけずれた位置に配置されている。
【００３０】
これにより、表面側光ビームＢ１がスリット６１Ａを通って光センサ６に入射されてから再度入射されるまでの表面検知時間Ｔ１（図６参照）と、裏面側光ビームＢ２がスリット６２Ａを通って光センサ６に入射されてから再度入射されるまでの裏面検知時間Ｔ２（図６参照）とに差が設けられている。すなわち、表面側光ビームＢ１を振る方向が左から右に切り替わる際に、光センサ６から制御装置７に対して出力される２つのパルス信号Ｐ１１，Ｐ１２間の時間Ｔ１は、小さい角度Ｘ（図４参照）に対応して比較的短い時間となる。これに対し、裏面側光ビームＢ２を振る方向が左から右に切り替わる際に、光センサ６から制御装置７に対して出力される２つのパルス信号Ｐ２１，Ｐ２２間の時間Ｔ２は、角度Ｘよりも大きな角度Ｙに対応して時間Ｔ１よりも長い時間となる。
【００３１】
図１に示すように、制御装置７は、光センサ６から出力されてくる信号に基づいて各レーザ光源２を制御する機能を有している。具体的には、図５に示すフローチャートに従って制御を実行する。なお、制御装置７は、振動ミラー３の振動制御等も行っている。
【００３２】
図５に示すように、制御装置７は、まず、光センサ６で光ビームを検知したか否かを判断する（Ｓ１）。ステップＳ１において、光ビームを検知していないと判断した場合には（Ｎｏ）、制御装置７は再びステップＳ１の処理に戻る。
【００３３】
ステップＳ１において光ビームを検知したと判断した場合には（Ｙｅｓ）、制御装置７は、光センサ６から出力される２つのパルス信号間の時間が表面検知時間Ｔ１であるか否かを判断することで、検知した光ビームが表面側光ビームＢ１であるか否かを判断する（Ｓ２）。ステップＳ２において表面側光ビームＢ１であると判断した場合には（Ｙｅｓ）、制御装置７は、所定時間Ｔ３（図６参照）が経過したか否かを判断する（Ｓ３）。
【００３４】
また、ステップＳ２において表面側光ビームＢ１ではないと判断した場合には（Ｎｏ）、制御装置７は、所定時間Ｔ３よりも短い所定時間Ｔ４（図６参照）が経過したか否かを判断する（Ｓ４）。そして、ステップＳ３，Ｓ４において所定時間Ｔ３，Ｔ４が経過したと判断した場合には（Ｙｅｓ）、制御装置７は、各レーザ光源２を画像データに応じて明滅させた後（Ｓ５）、本制御を終了する。
【００３５】
次に、光走査装置１の動作について説明する。参照する図面において、図６は、表面側光ビームの状態を示すタイムチャート（ａ）と、裏面側光ビームの状態を示すタイムチャート（ｂ）と、制御装置における光センサでの検知状態や印字制御の状態を示すタイムチャート（ｃ）である。また、図７は表面側光ビームが検知されてからの印字制御を示す説明図（ａ）〜（ｃ）であり、図８は裏面側光ビームが検知されてからの印字制御を示す説明図（ａ）〜（ｃ）である。
【００３６】
なお、図６（ｃ）においては、便宜上、同時に行う往路方向の書き出しおよび復路方向の書き出しを、左右上下にずらして示すこととする。また、図７，８においては、便宜上、各光ビームＢ１，Ｂ２と第１感光ドラム８Ａおよび第４感光ドラム８Ｄとの関係を簡略化して示しており、その他の感光ドラム８Ｂ，８Ｃや露光用光学系４等は省略している。
【００３７】
図７（ａ）に示すように、振動ミラー３が反時計回りに揺動することにより表面側光ビームＢ１が左に振られて、表面側反射ミラー５１で反射されると、反射された表面側光ビームＢ１は光センサ６で検知される。その後、表面側光ビームＢ１の振り方向が左から右に切り替わって表面側光ビームＢ１が再度光センサ６で検知されると、図６（ａ）に示すように、光センサ６からは２つのパルス信号Ｐ１１，Ｐ１２が短い時間間隔Ｔ１で出力される。
【００３８】
そして、制御装置７は、図６（ｃ）に示すように、２つのパルス信号Ｐ１１，Ｐ１２の間隔Ｔ１に基づいて、光センサ６で検知した光ビームが表面側光ビームＢ１であると判断する。その後、制御装置７は、２つ目のパルス信号Ｐ１２を受けたとき（時刻ｔ１）から所定のタイミング（時刻ｔ２：時間Ｔ３後）で、表面側光ビームＢ１による往路方向への書き出し（図の斜線部分）と、裏面側光ビームＢ２による復路方向への書き出し（図のドット部分）を同時に開始させる。すなわち、制御装置７は、図７（ｂ）に示すように、各レーザ光源２Ａ，２Ｄを画像データに基づいて明滅させて、表面側光ビームＢ１を往路方向（右）に振るとともに、裏面側光ビームＢ２を復路方向（左）に振る。
【００３９】
ここで、「光ビームによる書き出し」とは、画像データに応じて光ビームを明滅させて、感光ドラム８に静電潜像を形成させることを言う。また、「往路方向」とは、主走査方向（用紙の幅方向）のうち一方向をいい、「復路方向」とは、往路方向の逆方向をいう。
【００４０】
そして、図７（ｃ）に示すように、画像形成範囲αに対応した揺動範囲β分だけ表面側光ビームＢ１を振った後（振動ミラー３が略逆位相になった後）は、各光ビームＢ１，Ｂ２による静電潜像の形成（明滅）を終了させる。これにより、各感光ドラム８Ａ，８Ｄ上の画像形成範囲α内に、画像データに基づいた静電潜像が形成されることとなる。なお、図示を省略した各レーザ光源２Ｂ，２Ｃも前述と同様のタイミングで制御が実行されており、これにより、各感光ドラム８Ｂ，８Ｃにも光ビームによる書き出しが行われて画像形成範囲α内に静電潜像が良好に形成される。
【００４１】
その後、図８（ａ）に示すように、復路方向に振られている裏面側光ビームＢ２が裏面側反射ミラー５２で反射されて光センサ６で検知されると、図６（ｂ）に示すように、光センサ６から２つのパルス信号Ｐ２１，Ｐ２２が時間Ｔ１よりも長い時間間隔Ｔ２で出力される。
【００４２】
そして、制御装置７は、図６（ｃ）に示すように、２つのパルス信号Ｐ２１，Ｐ２２の間隔Ｔ２に基づいて光センサ６で検知した光ビームが裏面側光ビームＢ２であると判断する。その後、制御装置７は、２つ目のパルス信号Ｐ２２を受けたとき（時刻ｔ３）から所定のタイミング（時刻ｔ４：時間Ｔ４後）で、表面側光ビームＢ１による復路方向への書き出し（図のドット部分）を開始させるとともに、裏面側光ビームＢ２による往路方向への書き出し（図の斜線部分）を開始させる。
【００４３】
その後は、前述と同様に、図８（ｂ）〜（ｃ）に示すように、表面側光ビームＢ１を復路方向に揺動範囲β分だけ振るとともに、裏面側光ビームＢ２を往路方向に揺動範囲β分だけ振る間、各レーザ光源２Ａ，２Ｄ（２Ｂ，２Ｃも同様）を明滅させることで、各感光ドラム８Ａ，８Ｄ（８Ｂ，８Ｃも同様）上の画像形成範囲α内に静電潜像が形成される。
【００４４】
以上によれば、本実施形態において以下のような効果を得ることができる。
表面側光ビームＢ１と裏面側光ビームＢ２を共通の光センサ６で検知できるので、光センサの数を減らすことができ、低コスト化や制御の向上を図ることができる。
【００４５】
振動ミラー３の表面３１および裏面３２で偏向される各２本の光ビームＢ１，Ｂ２のうち各１本の光ビームＢ１，Ｂ２が表面側反射ミラー５１または裏面側反射ミラー５２で光センサ６に誘導されるので、４本すべての光ビームＢ１，Ｂ２を光センサ６に誘導させる構造に比べ部品点数が少なくなり、低コスト化を図ることができる。すなわち、合計４本の光ビームのうちの１本の光ビームを検知して、４本の光ビームの書き出しのタイミングを決めているので、光センサ６が１つで済み、構造を簡易化することができる。
【００４６】
表面側反射ミラー５１および裏面側反射ミラー５２を光センサ６側（左側）に寄せたので、センサ用光学系５を小型化することができ、ひいては光走査装置１を小型化することができる。
【００４７】
表面側光ビームＢ１が光センサ６で検知されたときから所定のタイミングで、表面側光ビームＢ１による往路方向への書き出しと裏面側光ビームＢ２による復路方向への書き出しを開始させ、裏面側光ビームＢ２が光センサ６で検知されたときから所定のタイミングで、表面側光ビームＢ１による復路方向への書き出しと裏面側光ビームＢ２による往路方向への書き出しを開始させるので、各光ビームＢ１，Ｂ２による書き出しを効率良く行うことができる。
【００４８】
表面側光ビームＢ１が光センサ６に入射されてから再度入射されるまでの表面検知時間Ｔ１と、裏面側光ビームＢ２が光センサ６に入射されてから再度入射されるまでの裏面検知時間Ｔ２とに差を設けたので、光センサ６で検知した光ビームが表面３１で反射されたものか否かを制御装置７で容易に判断することができる。
【００４９】
光センサ６の光ビームの入射側に表面側基板６１および裏面側基板６２を配置したので、センサ用光学系５（表面側反射ミラー５１や裏面側反射ミラー５２等）を動かすことなく各基板６１，６２を光ビームの振り幅方向に調整するだけで、容易に表面検知時間Ｔ１と裏面検知時間Ｔ２とに差を設けることができる。
【００５０】
なお、本発明は前記実施形態に限定されることなく、以下に例示するように様々な形態で利用できる。
前記実施形態では、表面側基板６１および裏面側基板６２を光ビームの振り幅方向に調整することで表面検知時間Ｔ１と裏面検知時間Ｔ２とに差を設けたが、本発明はこれに限定されるものではない。例えば、図９に示すように、表面側反射ミラー５１および裏面側反射ミラー５２を光ビームの振り幅方向において調整する（ずらす）ことで、表面検知時間Ｔ１と裏面検知時間Ｔ２とに差を設けてもよい。なお、この場合は、前記実施形態のような表面側基板６１および裏面側基板６２を設ける必要がないので、部品点数を削減することができる。
【００５１】
前記実施形態では、表面側光ビームＢ１で感光ドラム８Ａ，８Ｂを往路方向に走査（書き込み）しているときに裏面側光ビームＢ２で感光ドラム８Ｃ，８Ｄを復路方向に走査したが、このように構成すると下記の問題が発生するおそれがある。すなわち、各感光ドラム８の回転方向が同じであることから、振動ミラー３の表面３１側の感光ドラム８Ａ，８Ｂと裏面３２側の感光ドラム８Ｃ，８Ｄとで走査方向を逆にすると、図１０（ａ）に示すように、用紙Ｐ上において感光ドラム８Ａ，８Ｂでの走査方向（実線・破線）と感光ドラム８Ｃ，８Ｄでの走査方向（１点鎖線・２点鎖線）が交差する。これにより、各感光ドラム８で用紙Ｐに印字する際に、各色の直線状のトナー像が交差して混色してしまう可能性がある。
【００５２】
そのため、図１０（ｂ）に示すように、各感光ドラム８において走査方向を同じ方向に揃えるのが望ましい。なお、走査方向を同じにするには、表面側光ビームＢ１と裏面側光ビームＢ２の書き込みのタイミングを半周期分ずらせばよい。
【００５３】
具体的には、例えば、図１１（ａ）〜（ｃ）に示すように、表面側光ビームＢ１が光センサ６で検知された場合には表面側光ビームＢ１だけで感光ドラム８Ａ，８Ｂへの書き込みを行い、裏面側光ビームＢ２が光センサ６で検知された場合には裏面側光ビームＢ２だけで感光ドラム８Ｃ，８Ｄへの書き込みを行うように構成すればよい。すなわち、表面側光ビームＢ１が光センサ６で検知された場合には裏面側光ビームＢ２の出射を止め、裏面側光ビームＢ２が光センサ６で検知された場合には表面側光ビームＢ１の出射を止めればよい。これによれば、各感光ドラム８での走査方向を往路方向（または復路方向）に揃えることができる。
【００５４】
また、各感光ドラム８での走査方向を揃えなくても、各感光ドラム８の位置や露光用光学系４の各部品の位置を調整することで、図１０（ｃ）に示すように、用紙Ｐ上において各走査方向を揃えるようにしてもよい。すなわち、表面３１側の感光ドラム８Ａ，８Ｂから用紙Ｐにトナー像を転写させるタイミングと、裏面３２側の感光ドラム８Ｃ，８Ｄから用紙Ｐにトナー像を転写させるタイミングを、半周期分ずらしてもよい。
【００５５】
前記実施形態では、表面側反射ミラー５１および裏面側反射ミラー５２を振動ミラー３よりも左側（光センサ６側）に設けたが、本発明はこれに限定されず、振動ミラー３よりも右側（光センサ６とは反対側）に設けてもよい。
【００５６】
前記実施形態では、補正レンズ５３を表面側反射ミラー５１または裏面側反射ミラー５２の下流側に設けたが、本発明はこれに限定されず、上流側に設けてもよい。
前記実施形態では、誘導手段を表面側反射ミラー５１、裏面側反射ミラー５２および補正レンズ５３で構成したが、本発明はこれに限定されず、例えば各反射ミラー５１，５２と光センサ６との間に複数の反射ミラーをさらに設けてもよい。
【図面の簡単な説明】
【００５７】
【図１】本発明の一実施形態に係る光走査装置を示す平面図である。
【図２】図１の側面図である。
【図３】光センサ周りの構造を示す斜視図である。
【図４】図３の平面図である。
【図５】制御装置の動作を示すフローチャートである。
【図６】表面側光ビームの状態を示すタイムチャート（ａ）と、裏面側光ビームの状態を示すタイムチャート（ｂ）と、制御装置における光センサでの検知状態や印字制御の状態を示すタイムチャート（ｃ）である。
【図７】表面側光ビームが検知されてからの印字制御を示す説明図（ａ）〜（ｃ）である。
【図８】裏面側光ビームが検知されてからの印字制御を示す説明図（ａ）〜（ｃ）である。
【図９】裏面側反射ミラーをずらした形態を示す平面図である。
【図１０】表面側光ビームと裏面側光ビームの走査方向が逆である場合の印字状態を示す平面図（ａ）と、表面側光ビームと裏面側光ビームの走査方向を同一方向に揃えた場合の印字状態を示す平面図（ｂ）と、各感光ドラムからの印字タイミングを変更した場合の印字状態を示す平面図（ｃ）である。
【図１１】表面側光ビームと裏面側光ビームの書き込みのタイミングを半周期分ずらした形態を示す図であり、表面側光ビームの状態を示すタイムチャート（ａ）と、裏面側光ビームの状態を示すタイムチャート（ｂ）と、制御装置における光センサでの検知状態や印字制御の状態を示すタイムチャート（ｃ）である。
【符号の説明】
【００５８】
１      光走査装置
２      レーザ光源
３      振動ミラー
４      露光用光学系
５      センサ用光学系
６      光センサ
７      制御装置
３１    表面
３２    裏面
５１    表面側反射ミラー
５２    裏面側反射ミラー
５３    補正レンズ
６１    表面側基板
６１Ａ  スリット
６２    裏面側基板
６２Ａ  スリット
Ｂ１    表面側光ビーム
Ｂ２    裏面側光ビーム
Ｐ１１  パルス信号
Ｐ１２  パルス信号
Ｐ２１  パルス信号
Ｐ２２  パルス信号
Ｔ１    表面検知時間
Ｔ２    裏面検知時間
【図１】
2010026374.tif 000003
【図２】
2010026374.tif 000004
【図３】
2010026374.tif 000005
【図４】
2010026374.tif 000006
【図５】
2010026374.tif 000007
【図６】
2010026374.tif 000008
【図７】
2010026374.tif 000009
【図８】
2010026374.tif 000010
【図９】
2010026374.tif 000011
【図１０】
2010026374.tif 000012
【図１１】
2010026374.tif 000013